(57)【要約】【課題】室内機本体の横幅が大きくなることもなく、壁の配管穴を左右何れに設けても通風抵抗が大きくなることのない空気調和機を提供すること。【解決手段】本発明は本体１の吸込口２と吹出口３とを結ぶ空気通路４に、前部熱交換器（後傾部５ａ）と、後部熱交換器（前傾部５ｂ）と、送風機６とを備え、前記前部熱交換器に前部露受皿７ａと、後部熱交換器に後部露受皿７ｂとを備えてなる空気調和機において、前記本体１の前記後部露受皿７ｂの下方空間に換気ダクト２０を設けてなる空気調和機としている。【選択図】図１
2006090596.tif 000002
【特許請求の範囲】
【請求項１】
本体の吸込口と吹出口を結ぶ空気通路に、前部熱交換器と、後部熱交換器と、送風機とを備え、前記前部熱交換器に前部露受皿と、後部熱交換器に後部露受皿とを備えてなる空気調和機において、
前記本体の背面部の前記後部露受皿の下方空間に換気ダクトを設けてなることを特徴とする空気調和機。
【請求項２】
前記本体の前記後部露受皿の上部中央に換気孔を設け、前記換気ダクトと連通することを特徴とする請求項１記載の空気調和機。
【請求項３】
前記換気ダクトが、前記本体の背面部と一体に形成されてなることを特徴とする請求項１または請求項２記載の空気調和機。
【発明の詳細な説明】
【技術分野】
【０００１】
本発明は、空気調和機に係わり、特に室内を換気する機能を有する空気調和機に関する。
【背景技術】
【０００２】
従来の壁掛け型空気調和機の換気装置には大きく分けて室内機内臓型と室内機分離型の２種類ある。
室内機内臓型としては、例えば特許文献１に開示されているように、側部に換気ファン７を備え、該換気ファン７によって室内の空気を室外に排出することが可能とされた空気調和装置の室内機において、両端部に開口部が設けられた換気用流路２０が室内機１の幅方向を向けて形成され、該換気用流路２０の一側の前記開口部が前記換気ファン７と接続可能であり、同他側開口部は、換気用ダクト２７と接続可能に構成されている。
【０００３】
また、室内機分離型としては、例えば特許文献２に開示されているように、室内機の吸込口の近傍に室内空気を排出する排気口と室外空気を供給する給気口を設け、上記排気口に連なる排気路と給気口に連なる給気路と冷媒配管および接続ケーブル等を挿通する挿通路とに三分割した壁穴用パイプを介して壁面室外側に設けた換気ユニットに導き、同換気ユニットに排気路と給気路に対応して送風機を設け、一方の送風機で室内空気を排出し、他方で換気ユニットに設けた給気窓から室外空気を供給するようにしている。
【０００４】
しかし、上記特許文献１に開示されている技術では、室内機の一部に換気ファンを設けるため、室内機本体の横幅が大きくなるという問題があるばかりか、例えば前記換気ファンを室内機の左側にのみ設けると、据付時に、壁の配管穴を左側に設けた場合は前記換気用流路２０を省略できるので通風抵抗は小さくなるが、配管穴を右側に設けた場合は前記換気用流路２０を必要とするため、通風抵抗が大きくなり、据付によって通風抵抗が異なるという問題がある。
また、前記換気用流路２０が、冷媒配管が配設される吹出口の本体背面側に設けられるので、同換気用流路２０の径を大きくできなず、通風抵抗が大きくなるという問題もある。
【０００５】
また、上記特許文献２に開示されている技術の場合、実施例に示されているように、室内空気を排出する排気口を室内機の左側に、室外空気を給気する給気口を右側に設けると、室内機本体の横幅が大きくなるという問題があるばかりか、据付時に、壁の配管穴を左側に設けた場合は前記排気路は短くなるが前記給気路が長くなり、右側に設けた場合は前記排気路は長くなるが前記給気路が短くなるため、やはり、据付によって通風抵抗が異なってしまうという問題がある。
【０００６】
【特許文献１】特開２００３−１８５１７９号公報（第２−５頁、第２図）
【特許文献２】特開平５−７１７５３号公報（第２−３頁、第４図）
【発明の開示】
【発明が解決しようとする課題】
【０００７】
本発明は、上記問題点を解決し、室内機本体の横幅が大きくなることもなく、壁の配管穴を左右何れに設けても通風抵抗が大きくなることもない空気調和機を提供することを目的とする。
【課題を解決するための手段】
【０００８】
本発明は本体の吸込口と吹出口を結ぶ空気通路に、前部熱交換器と、後部熱交換器と、送風機とを備え、前記前部熱交換器に前部露受皿と、後部熱交換器に後部露受皿とを備えてなる空気調和機において、
前記本体の背面部の前記後部露受皿の下方空間に換気ダクトを設けてなる空気調和機としている。
【０００９】
また、前記本体の前記後部露受皿の上部中央に換気孔を設け、前記換気ダクトと連通する空気調和機としている。
【００１０】
また、前記換気ダクトが、前記本体の背面部と一体に形成されてなる空気調和機としている。
【発明の効果】
【００１１】
以上説明したように、本発明によると室内空気を排気したり、室外空気を取り込むための換気孔を本体の背面部の後部露受皿の上方中央に設けたので、壁の配管穴を左右何れに設けても換気孔に連通する換気ダクトの流路長が同じとなり、通風抵抗が同じにすることのできる空気調和機を提供することができる。
【００１２】
また、換気ダクトが前記後部露受皿の下部に形成される窪みに配設されるので、同換気ダクトに通風される外気と冷房時に後部露受皿で受けた凝縮水との間で熱交換が起こり、換気孔１から流入される外気が予め冷やされ、冷房効率の向上の図れる空気調和機を提供することができる。
【発明を実施するための最良の形態】
【００１３】
以下、本発明の実施の形態を、添付図面に基づいた実施例として詳細に説明する。
【実施例１】
【００１４】
図１は本発明による空気調和機の第１の実施例を示す要部側断面図、図２は同背面側から見た斜視図で、（ａ）は配管穴を正面から向かって左側に設ける場合、（ｂ）は右側に設ける場合をそれぞれ示している。
本発明による空気調和機は図１に示すように、本体１の前面上部に吸込口２を下部に吹出口を設けている。
前記吸込口２には空気中の塵埃を除去するエアーフィルタ２ａが挿抜可能に取り付けられている。
また、前記吹出口３には吹き出し風を左右に偏向する左右風向偏向板３ａ、上下に偏向する上下風向偏向板３ｂを備えている。
そして、前記本体１の吸込口２と吹出口３を結ぶ空気通路４には後傾部５ａと前傾部５ｂとでなる熱交換器５と、その風下側に送風機６とを備えている。
前記熱交換器５の後傾部５ａ及び前傾部５ｂには同熱交換器５からの凝縮水を受ける前部露受皿７ａ及び後部露受皿７ｂがそれぞれ形成されている。
【００１５】
このため、前記本体１の背面部１ａの前記後部露受皿７ｂの下部に、同後部露受皿７ｂに沿って横方向に延びる窪み１ａａが形成され、本体１を壁に据付ける据付金具１０との間に従来はデッドスペースとなっていた空間が形成されている。
また、前記本体１の背面部１ａの前記後部露受皿７ｂの上方中央には換気孔１ａｂが設けられている。
そして、前記窪み１ａａには横長部２０ａと縦長部２０ｂとで略Ｌ字状をなす換気ダクト２０を配設している。
前記換気ダクト２０の縦長部２０ｂの上端部前面には前記換気孔１ａｂに連通する給排気口２２が、横長部２０ａの側端部下面には室外に連通する換気用配管２３に連通する給排気口２１がそれぞれ設けられている。
前記換気ダクト２０は図２−（ａ）または図２−（ｂ）に示すように据付時に壁に設ける配管穴の位置により２種類用意するようにしている。
【００１６】
以上説明したように、室内空気を排気したり、室外空気を取り込むための前記換気孔１ａｂを前記本体１の背面部１ａの前記後部露受皿７ｂの上方中央に設けたので、壁の配管穴を左右何れに設けても同換気孔１ａｂに連通する換気ダクト２０の流路長が同じとなり、通風抵抗が同じになる。
【００１７】
また、換気ダクト２０が前記後部露受皿７ｂの下部に形成される窪み１ａａに配設されるので、同換気ダクト２０に通風される外気と冷房時に後部露受皿７ｂで受けた凝縮水との間で熱交換が起こり、換気孔１ａｂから流入される外気が予め冷やされ、冷房効率の向上が図れる。
【実施例２】
【００１８】
図３は本発明による空気調和機の第２の実施例を示す背面側から見た斜視図である。
本実施例の場合、前記窪み１ａａには横長部２０ａと縦長部２０ｂとで逆Ｔ字状をなす換気ダクト２０を配設している。
そして、前記換気ダクト２０の縦長部２０ｂの上端部前面には前記換気孔１ａｂに連通する給排気口２２が、横長部２０ａの両側端部下面には室外に連通する換気用配管２３、２３’のそれぞれに連通する給排気口２１、２１’が設けられている。
【００１９】
本実施例の場合、前記換気ダクト２０の横長部２０ａの両側端部下面にそれぞれ給排気口２１、２１’が設けられているので、据付時に壁に設ける配管穴の位置により前記給排気口２１、２１’の何れか一方を図示しない蓋で塞ぐことにより、配管穴の位置が左右何れの場合でも対応可能となる。
また、実施例１の場合、前記換気ダクト２０は図２−（ａ）または図２−（ｂ）に示すように据付時に壁に設ける配管穴の位置によりＬ字状の換気ダクト２０と、逆Ｌ字状の換気ダクト２０との２種類を用意しなければならなかったが、本実施例２の場合はＴ字状の換気ダクト２０を１種類と蓋を用意するだけでよい。
また、換気ダクト２０をＴ字状として左右何れにも対応できるようにしたので、前記換気ダクト２０を前記本体の背面部１ａと一体に形成することにより、蓋だけを別部品として用意しておけばよく、コスト的に有利にすることができる。
勿論、実施例１の場合と同様、室内空気を排気したり、室外空気を取り込むための前記換気孔１ａｂを前記本体１の背面部１ａの前記後部露受皿７ｂの上方中央に設けたので、壁の配管穴を左右何れに設けても同換気孔１ａｂに連通する換気ダクト２０の流路長が同じとなり、通風抵抗が同じになる。
【００２０】
また、実施例１の場合と同様、換気ダクト２０が前記後部露受皿７ｂの下部に形成される窪み１ａａに配設されるので、同換気ダクト２０に通風される外気と冷房時に後部露受皿７ｂで受けた凝縮水との間で熱交換が起こり、換気孔１ａｂから流入される外気が予め冷やされ、冷房効率の向上が図れる。
【００２１】
図４は本発明による空気調和機の換気用配管と冷媒配管を壁に設けた左右別々配管穴に通す場合を示すレイアウト図で、図４−（ａ）は換気ユニット４０を室外機３０に固定する場合、図４−（ｂ）は換気ユニット４０を壁面に固定する場合を示している。
図４−（ａ）に示すように、室外機３０の側面に送風機４１を備える換気ユニット４０固定し、同換気ユニット４０に、冷媒配管５０を挿通する配管穴とは別に設けた配管穴に挿通する前記換気用配管２３または前記換気用配管２３’を接続するようにしている。
同図４−（ａ）の例では壁に向かって右側に配管穴を設けた場合を示しているが、図示しないが、配管穴を左側に設けた場合も同様である。
また、図４−（ｂ）に示すように、図示しない壁面に送風機４１を備える換気ユニット４０固定し、同換気ユニット４０に、冷媒配管５０を挿通する配管穴とは別に設けた配管穴に挿通する前記換気用配管２３または前記換気用配管２３’を接続するようにしている。
同図４−（ｂ）の例も壁に向かって右側に配管穴を設けた場合を示しているが、図示しないが、配管穴を左側に設けた場合も同様である。
【００２２】
図５は本発明による空気調和機の換気用配管と冷媒配管を壁に設けた同じ配管穴に通す場合を示すレイアウト図で、図５−（ａ）は換気ユニット４０を室外機３０に固定する場合、図５−（ｂ）は換気ユニット４０を壁面に固定する場合を示している。
図５−（ａ）に示すように、室外機３０の側面に送風機４１を備える換気ユニット４０固定し、同換気ユニット４０に、冷媒配管５０と共に配管穴に挿通する前記換気用配管２３または前記換気用配管２３’を接続するようにしている。
同図５−（ａ）の例では壁に向かって右側に配管穴を設けた場合を示しているが、図示しないが、配管穴を左側に設けた場合も同様である。
また、図５−（ｂ）に示すように、図示しない壁面に送風機４１を備える換気ユニット４０固定し、同換気ユニット４０に、冷媒配管５０と共に配管穴に挿通する前記換気用配管２３または前記換気用配管２３’を接続するようにしている。
同図５−（ｂ）の例も壁に向かって右側に配管穴を設けた場合を示しているが、図示しないが、配管穴を左側に設けた場合も同様である。
【図面の簡単な説明】
【００２３】
【図１】本発明による空気調和機の第１の実施例を示す要部側断面図である。
【図２】本発明による空気調和機の第１の実施例を示す背面側から見た斜視図で、（ａ）は配管穴を正面から向かって左側に設ける場合、（ｂ）は右側に設ける場合をそれぞれ示している。
【図３】本発明による空気調和機の第２の実施例を示す背面側から見た斜視図である。
【図４】本発明による空気調和機の換気用配管と冷媒配管を壁に設けた左右別々配管穴に通す場合を示すレイアウト図で、図４−（ａ）は換気ユニット４０を室外機３０に固定する場合、図４−（ｂ）は換気ユニット４０を壁面に固定する場合を示している。
【図５】本発明による空気調和機の換気用配管と冷媒配管を壁に設けた同じ配管穴に通す場合を示すレイアウト図で、図５−（ａ）は換気ユニット４０を室外機３０に固定する場合、図５−（ｂ）は換気ユニット４０を壁面に固定する場合を示している。
【符号の説明】
【００２４】
１  本体
１ａ  背面部
１ａａ  窪み
１ａｂ  換気孔
２  吸込口
３  吹出口
４  空気通路
５  熱交換器
５ａ  後傾部
５ｂ  前傾部
６  送風機
７ａ  前部露受皿
７ｂ  後部露受皿
２０  換気ダクト
２０ａ  横長部
２０ｂ  縦長部
２１、２１’  給排気口
２２  給排気口
２３、２３’  換気用配管
３０  室外機
４０  換気ユニット
４１  送風機
５０  冷媒配管
【図１】
2006090596.tif 000003
【図２】
2006090596.tif 000004
【図３】
2006090596.tif 000005
【図４】
2006090596.tif 000006
【図５】
2006090596.tif 000007